(57)【要約】 【課題】従来よりも低コストで耐震性及び免震性に優れ、結露やシロアリが発生しにくく、サビや腐りの原因となる雨水の停滞を無くし、火災の延焼を抑えることができ、更にメンテナンスも行いやすい住居構造を提供する。【解決手段】本発明は、上記課題を解決するため、建物構造において、基礎を共通とする外構造と内構造からなり、前記外構造内に内構造を組立て、前記外構造と前記内構造を振動を伝達しない素材で連結したことを特徴とする建物構造の構成とした。【選択図】  図１
2012162909.tif 000002
【特許請求の範囲】
【請求項１】
建物構造において、
基礎を共通とする外構造と内構造からなり、
前記外構造内に内構造を組立て、
前記外構造と前記内構造を振動を伝達しない素材で連結したことを特徴とする建物構造。
【請求項２】
前記内構造を、
一階建て若しくは複数階層からなり
最上階にあたる部屋の天井を無くした内構造とし、
前記外構造の屋根を共用したことを特徴とする請求項１に記載の建物構造。
【請求項３】
前記内構造の外側に廊下を設けて、
前記廊下と前記外構造を振動を伝達しない素材で連結したことを特徴とする請求項1または請求項２項に記載の建物構造。
【請求項４】
前記廊下を、
前記内構造の外側に複数枚の可動壁及び可動天井を設けて、
前記外構造の内側に前記可動壁を受ける凹部を形成した固定壁及び前記可動天井を受ける上下可動天井受けを設けて、
前記可動壁と固定壁を連結し、前記可動天井と上下可動天井受けを前記可動天井を上下可動天井受けの間に間隙を設けた状態に配置して、
前記廊下を独立空間として利用できる廊下としたことを特徴とする請求項３に記載の建物構造。
【請求項５】
前記外構造の屋根を、
前記外構造の外壁側に一部張り出した屋根とし、
前記屋根の張り出し部分下の基礎上且つ前記外構造の外側に浴室を備えて、
前記浴室と外壁を振動を伝達しない素材で連結し、
前記外壁の浴室を連結した部分に開口部を設けて外構造内と浴室内を行き来できるようにしたことを特徴とする請求項１から請求項４項のいずれか１項に記載の建物構造。
【請求項６】
前記内構造を、
木造在来工法、伝統工法、木造２×４構造、木造金物構造、鉄骨構造、鉄筋コンクリート工法のいずれかの工法により組み立てた内構造とし、
前記外構造を、
木造在来工法、伝統工法、木造２×４構造、木造金物構造、鉄骨構造、鉄筋コンクリート工法のいずれかの工法により組み立てた外構造とした
ことを特徴とする請求項１項から請求項５項のいずれか１項に記載の建物構造。
【発明の詳細な説明】
【技術分野】
【０００１】
本発明は、建物構造に関する。
【背景技術】
【０００２】
従来、例えば２階建の住宅においては、居住空間を作る柱、壁等に屋根を接続する方法で建築されており、重心が高くなりやすい構造であるため、地震等による倒壊を防ぐためにも柱、壁等に強度を持たせた構造であった。
【０００３】
しかしながら、従来のような構造で建築される住宅に対して、十分な強度を保った耐震措置を行うことや、免震措置を行うことはコストがかかり、容易に施すことができるものではなかった。
【０００４】
また、居間、寝室、台所等の居住空間を構成する柱を軸として両面から板、その他の部材を打ち付けて壁としているが、前記壁の中は空洞であったり、断熱材等が敷き詰められており、結露やシロアリが発生する可能性が高い場所であった。
【０００５】
上記のような結露やシロアリは、住宅の耐久性を下げ、住宅自体の寿命を短くする危険性が高いため、定期的なメンテナンスを要する箇所であるが、このような場所は簡単にメンテナンスを行うことができる所ではなく、気づいたときには立て替えや大規模な修繕を余儀なくされる状況に陥っていることがあった。
【０００６】
また、従来のような住宅構造は、火災の際に延焼しやすい構造であるため、火災が発生した場合は、全焼であることが多く、半焼で済んだとしても住み続けることは難しく、やはり立て替えを余儀なくされた。
【０００７】
また、間取りにおいても二階以上に寝室を設けることが多く、各部屋の広さを大きくしたり、部屋数を増やすことで、必然的に一階部分の床面積が無駄に大きくなり、当然コストがかかるものであった。
【０００８】
また、従来の住宅の屋根を平らな屋根や、勾配がゆるい屋根とすることがあるが、このような住宅の場合は雨水の停滞が起こりやすく、これによりサビや腐りが起こり、建物を劣化させる原因となっていた。
【０００９】
そもそも、従来の技術には住宅の耐久性、寿命という点における対策が十分ではなく、寿命の短い建物が多かった。特に、プレハブ、戸建て、集合住宅等、賃貸住宅においては、一般的に２５〜３０年の寿命とされ、立て替えのために多くの費用を投じなければならなかった。
【先行技術文献】
【特許文献】
【００１０】
【特許文献１】特開平１１−６２２７８号公報
【発明の概要】
【発明が解決しようとする課題】
【００１１】
そこで、本発明は、従来よりも低コストで耐震性及び免震性に優れ、結露やシロアリが発生しにくく、サビや腐りの原因となる雨水の停滞を無くし、火災の延焼を抑えることができ、更にメンテナンスも行いやすい住居構造を提供する。
【課題を解決するための手段】
【００１２】
本発明は、上記の課題を解決するために、建物構造において、基礎を共通とする外構造と内構造からなり、前記外構造内に内構造を組立て、前記外構造と前記内構造を振動を伝達しない素材で連結したことを特徴とする建物構造の構成とした。
【００１３】
前記内構造を、一階建て若しくは複数階層からなり、最上階にあたる部屋の天井を無くした内構造とし、前記外構造の屋根を共用したことを特徴とする建物構造の構成とした。
【００１４】
また、前記内構造の外側に廊下を設けて、前記廊下と前記外構造を振動を伝達しない素材で連結したことを特徴とする建物構造の構成とした。
【００１５】
前記廊下を、幅広の廊下とし、前記内構造の外側に複数枚の可動壁及び可動天井を設けて、前記外構造の内側に前記可動壁を受ける凹部を形成した固定壁及び前記可動天井を受ける上下可動天井受けを設けて、前記可動壁と固定壁を連結し、前記可動天井と上下可動天井受けを前記可動天井を上下可動天井受けの間に間隙を設けた状態に配置して、前記廊下を独立空間として利用できる廊下としたことを特徴とする建物構造の構成とした。
【００１６】
更に、前記外構造の屋根を、前記外構造の外壁側に一部張り出した屋根とし、前記屋根の張り出し部分下の基礎上且つ前記外構造の外側に浴室を備えて、前記浴室と外壁を振動を伝達しない素材で連結し、前記外壁の浴室を連結した部分に開口部を設けて外構造内と浴室内を行き来できるようにしたことを特徴とする建物構造の構成とした。
【００１７】
加えて、前記内構造を、伝統工法、木造在来工法、木造２×４構造、木造金物構造、鉄骨構造、鉄筋コンクリート工法のいずれかの工法により組み立てた内構造とし、
前記外構造を、伝統工法、木造在来工法、木造２×４構造、木造金物構造、鉄骨構造、鉄筋コンクリート工法のいずれかの工法により組み立てた外構造としたことを特徴とする建物構造の構成とした。
【発明の効果】
【００１８】
本発明は上記のような構成であるため、耐震性、免震性に優れ、地震による倒壊の可能性を下げることができる。
【００１９】
また、結露やシロアリが発生しにくい構造であるため、柱や壁内を腐食される可能性が少ない。
【００２０】
また、雨水が停滞しにくい構造であるため、サビや腐りが発生しにくい。
【００２１】
また、火災による延焼を遅らせることができるため、火災が発生した場合であっても、全焼となる前に消火できる可能性があがり、火災により焼失した箇所や損傷を受けた箇所のみを修繕することで対応することができ、従来よりも低コストで対応することができる。
【００２２】
更に、メンテナンスがしやすい構造であるため、定期的なメンテナンスを低コストで行うことができ、柱や壁内、基礎内等での修繕箇所を早期に発見し対応することができる。
【００２３】
加えて、以上のような効果の相乗効果により従来の耐用年数よりも長期間に渡って安心して居住することができ、経済的である。
【図面の簡単な説明】
【００２４】
【図１】本発明である住居構造の内部構成図である。
【図２】本発明である住居構造の内部構造図である。
【図３】本発明である住居構造の一部拡大斜視図である。
【図４】本発明である住居構造の一部拡大斜視図である。
【発明を実施するための形態】
【００２５】
以下、添付の図面を参照し、本発明の実施の形態について詳細に説明する。
【実施例１】
【００２６】
図１及び図２は本発明である住居構造の内部構成図、図３及び図４は本発明である住居構造の一部拡大斜視図である。
【００２７】
図１及び図２に示すように、本発明である建物構造は、基礎４を共通とする外構造２と内構造３からなり、前記外構造２内に内構造３を組立て、前記外構造２と前記内構造３を振動を伝達しない素材で連結した建物１である。
【００２８】
前記振動を伝達しない素材とは、ゴム材等の弾性素材でできた連結部材１３であり、このような素材で前記外構造２と内構造３を連結することで、地震の際に各構造２、３の振動を互いに影響し合わず、耐震性、免震性を向上させることができる。
【００２９】
前記内構造３は、一階建て若しくは複数階層からなり、最上階６にあたる部屋の天井を無くした内構造３とし、前記外構造２の屋根２ｂを共用している。
【００３０】
そのため、前記内構造３を構成する壁３ａ、床３ｂ、内壁３ｅ及び柱は、屋根の重さを考慮せずに、従来よりも軽量な材料で建築することができる。
【００３１】
前述のように、最上階６においては天井が無く、屋根２ｂまでの距離があるため、開放感があり通風性に優れた空間となり、台所や居間が適している。
【００３２】
また、前述のように最上階６と屋根２ｂに距離があるため、火災のときの延焼を遅らせることができる。
【００３３】
また、図１及び図２に示すように、前記内構造３の外側に廊下７を設けて、前記廊下７と前記外構造２を振動を伝達しない素材で連結することにより、
前述のように台所や居間を配置した最上階６（図１、２においては二階）の広さと等しい内構造３の一階６ａ部分に廊下を配置する必要がなく、従来よりも広く個人の部屋を確保することができる。
【００３４】
また、反対に従来と同程度の広さの個人の部屋を一階６ａに配置したとしても、最上階６（図上では二階）に配置する台所や居間が従来よりも狭くなることはなく、従来よりも広い台所と居間を配置することができ、いずれにせよ省スペース化、低コスト化に繋がる。
【００３５】
図１から図４に示すように、前記廊下７を幅広の廊下とし、前記内構造３の外側に複数枚の可動壁８及び可動天井９を設けて、前記外構造２の内側に前記可動壁８を受ける凹部１０ａを形成した固定壁１０及び前記可動天井９を受ける上下可動天井受け１１、１２を設けて、前記可動壁８と固定壁１０を連結し、前記可動天井９と上下可動天井受け１１、１２を前記可動天井９を上下可動天井受け１１、１２の間に間隙１７を設けた状態に配置して、前記廊下７を独立空間として利用できる廊下７とした。
【００３６】
図３及び図４に示すように、前記可動壁８は容易に開閉することができる。前記可動壁８を閉める際は、外構造２側に設置された固定壁１０の凹部１０ａに可動壁８の端部を陥入される。また、前記可動壁８を使用しない場合は、内構造８の壁面に平行して収納することが出来るため邪魔にならない。但し、可動壁８の取付位置は図３、図４に示した位置に限定されるものではないため、蝶番を介して内建物３に固定する方法であってもよい。更にこの場合、固定壁１０に凹部に代えて可動壁受けの段差を設けたり、他の方法で一時固定をできる構造とすればよい。
【００３７】
前記可動天井９も容易に開閉することができる。前記可動天井９を使用する場合は、まず、屋根２ｂ側に取り付けた上可動天井受け１１を廊下７と平行となるように引き出し、次に前記上可動天井受け１１の下側に来るように可動天井９を廊下７と平行になるように持ち上げ、最後に下可動天井受け１２を廊下７と平行になるように持ち上げる。
【００３８】
以上のように上下可動天井受け１１、１２の間隙１７に可動天井９を挟むことにより、可動天井９の急な落下を避けることができる。また、上下可動天井受け１１、１２及び可動天井９を使用しない場合は、前記可動天井９を内構造３に折り畳み、前記上下可動天井受け１１、１２を屋根２ｂに折り畳むことができる。
【００３９】
尚、前記可動天井９と内構造３の接続及び上下可動天井受け１１、１２と屋根２ｂの接続には蝶番による接続に加えて、油圧方式を取り入れることで急激な落板に危険性を回避できる。
【００４０】
前記上下可動天井受け１１、１２と可動天井９は完全に接した状態ではなく、各部材間にも隙間がある。このようにすることで振動が伝わりにくく、地震の際の免震に役立つ。
【００４１】
以上のように廊下７を可動壁８及び可動天井９で仕切ることにより一つの部屋として使用することができ、家族構成の変化やライフスタイルの変化にも柔軟に対応することができる。
【００４２】
例えば、廊下７をプライバシーを重要視しない一時的な独立空間として使用したい場合は、前記可動壁８で仕切るだけで、天井部分は開放したままとすれば良いし、ある程度プライバシーを重要視する部屋として使用する場合は、前記可動壁８及び可動天井９で仕切ればよい。
【００４３】
尚、符号８ａはドアを示しており、上記のように廊下７を可動壁８で仕切った場合に使用するドアである。
【００４４】
前記一階６ａ部分に配置される各部屋の扉や、廊下７を仕切る可動壁８のドア８ａを二重又は嵌め込みの扉とすることで結露の発生を抑えることができ、壁として耐久性も維持できる。
【００４５】
図１及び図２に示すように、前記外構造２では、屋根２ｂの面積を大きく取り、勾配を大きくすると共に、外壁２ａを少なくした。
【００４６】
前記のように屋根２ｂの勾配を大きくすることで雨水は停滞すること無く流れきり、停滞した雨水による建物のサビや腐りの発生は極めて起こりにくい。従って、そのような場所の劣化を抑えることができる。
【００４７】
また、図１に示すように、屋根２ｂの棟木２ｅと棟包１６のあたりに隙間を設け、更に屋根２ｂに換気装置１５を取り付けることで、建物内の換気を行うことができ、快適な居住環境とすることができる。加えて、図示はしていないが、前記屋根２ｂの下方に窓を取り付けることで、多くの光を取り入れることができ、建物内を明るくすることができる。
【００４８】
また、前記外構造２の屋根２ｂを、前記外構造２の外壁２ａ側に一部張り出した屋根２ｂとし、前記屋根２ｂの張り出し部分下の基礎４上且つ前記外構造の外側に浴室５を備えて、前記浴室５と外壁２を振動を伝達しない素材で連結し、前記外壁２ａの浴室５を連結した部分に開口部２ｇを設けて外構造２内と浴室５内を行き来できるようにした。
【００４９】
以上のように、湿気が最も多い浴室５を外構造２の外側且つ屋根２ｂの下側に配置することで、外構造２及び内構造３に不要な湿気を与えることが無く、また、浴室５のみを容易にメンテナンス、交換することができる。
【００５０】
図１及び図２に示した建物１のように、一階６ａ部分の床を土地１４よりも下げることで、土地１４からの内構造３の高さを押さえ、外構造２の屋根２ｂの勾配を大きくしても建築基準法等に触れない建物１とすることがでる。
【００５１】
尚、階段７ａは、前記一階６ａ部分へ行き来するための階段であり、階段３ｄは内構造３の最上階６へ行き来するための階段である。このように、各階段を内構造３の外側、即ち廊下７部分に配置することで、内構造３を小さく収めることができ、結果的に内構造３の低コスト化を図ることができる。
【００５２】
また、前記基礎４は、立ち上がり４ａの高さを従来よりも高めにすることで空間４ｂを設けることができ、人が入って、基礎内のメンテナンスを容易に行うことができる。
【００５３】
尚、外構造２の外壁２ａに設けた玄関扉２ｃから入った際に数段の階段７ａを設けて通常の住居での一階にあたる部分を土地１４の高さと異なる高さとし、階段７ａの最下段の下側に床受け４ｃを設けた。前記最下段と床受け４ｃにおいても完全に連結固定されてはおらず、内構造３と外構造２の間で振動が伝わりにくくなるようにしてある。
【００５４】
上記のように通常の住居の一階にあたる部分を土地１４より高い位置にすることは本発明において限定した事項ではなく、同じ高さとしても構わない。但し、通常の住居の一階にあたる部分の床は外構造２と分離した構造でなければならない。
【００５５】
上述のように各部を構成することで、建物１を従来の耐用年数よりも長く維持させることができ、しかも低コストで実現することができる。
【００５６】
尚、前記内構造３は、伝統工法、木造在来工法、木造２×４構造、木造金物構造、鉄骨構造、鉄筋コンクリート工法のいずれの工法で組み立てた内構造３であってもよく、同じく、前記外構造２についても、伝統工法、木造在来工法、木造２×４構造、木造金物構造、鉄骨構造、鉄筋コンクリート工法のいずれの工法で組み立てた外構造２であってもよい。また、前記外構造２と内構造３を同じ工法で組み立てなくても構わない。
【００５７】
更に、前述の建物内にコンデンサを設け、真空ポンプを用いて除湿を行うことで効果的に除湿を行い、結露を抑えることができる。
【産業上の利用可能性】
【００５８】
本発明である住居構造は、耐震性、免震性に優れ、メンテナンスも容易であり、結露、シロアリ及び雨水の停滞によるサビ、腐りの発生を抑えることができるため、従来よりも長期に渡って安心して居住することができ、且つ、経済的であるため、建築業界に多大な貢献をもたらす。
【符号の説明】
【００５９】
１      建物
２      外構造
２ａ    外壁
２ｂ    屋根
２ｃ    玄関扉
２ｄ    開口部
２ｅ    棟木
２ｆ    母屋
２ｇ    開口部
３      内構造
３ａ    壁
３ｂ    床
３ｃ    開口部
３ｄ    階段
３ｅ    内壁
４      基礎
４ａ    立ち上がり
４ｂ    空間
４ｃ    床受け
５      浴室構造
６      最上階
６ａ    一階
７      廊下
７ａ    階段
８      可動壁
８ａ    ドア
９      可動天井
１０    固定壁
１０ａ  凹部
１１    上可動天井受け
１２    下可動天井受け
１３    連結部材
１４    土地
１５    換気装置
１６    棟包
１７    間隙
【図１】
2012162909.tif 000003
【図２】
2012162909.tif 000004
【図３】
2012162909.tif 000005
【図４】
2012162909.tif 000006